(57)【要約】【課題】会員に対して、この会員の性格カテゴリと相性度のよい性格カテゴリの会員から順に紹介し、かつ、互いの交際を支援するドバイスを提供することで、互いの交際を支援することができる好相性会員紹介方法とサーバを得る。【解決手段】会員の個人情報と、希望条件と、性格カテゴリを算出するためのアンケートの回答をサーバに入力し、サーバが、回答に基づく会員の性格カテゴリを確認し、確認した会員の性格カテゴリと好相性の性格カテゴリに該当する他の会員を抽出し、希望条件に基づき抽出した他の会員の中から相手会員候補を抽出し、抽出した相手会員候補の希望条件に基づき相手会員候補の中から相手会員を決定し、決定した相手会員と会員に提供するための互いの紹介情報（Ｅ１，Ｅ２）を出力する。【選択図】図１２
2005092897.tif 000002
【特許請求の範囲】
【請求項１】
会員に対して、この会員の性格カテゴリと相性度のよい性格カテゴリの会員から順に紹介するための方法であって、
第一の会員の端末と第二の会員の端末のそれぞれと通信ネットワークを介して接続し、
会員ごとの、電子メールアドレスを含む個人情報と、紹介相手の個人情報に関する希望条件と、性格カテゴリとを格納してある会員テーブルと、
性格カテゴリごとに他の性格カテゴリとの相性度を順位づけて格納してある相性度テーブルと、
紹介する会員（以下、「特定会員」という）とこの特定会員に紹介される会員（以下、「相手会員」という）との性格カテゴリの組合せに応じた特定会員に提供される相手会員との交際を支援するための情報であって、相手会員の性格カテゴリごとに異なるアドバイス情報を記憶しているアドバイステーブルと、
を備えたサーバにより実行され、
上記サーバが、上記相性度テーブルを参照して、上記会員テーブルに格納されている第一の会員の性格カテゴリと第二の会員の性格カテゴリの相性度を確認するステップと、
上記会員テーブルに格納されている第二の会員の個人情報が第一の会員の希望条件を満たすと共に第一の会員の個人情報が第二の会員の希望条件を満たす場合に、上記サーバが、上記アドバイステーブルを参照して上記会員テーブルに格納されている第一の会員の性格カテゴリと第二の会員の性格カテゴリをもとに第一の会員への第一のアドバイス情報を抽出すると共にこの第一のアドバイス情報とは異なる第二の会員への第二のアドバイス情報を抽出し、上記抽出した第一のアドバイス情報を記載した電子メールを作成して上記会員テーブルに格納されている第一の会員の電子メールアドレス宛に送信すると共に上記抽出した第二のアドバイス情報を記載した電子メールを作成して上記会員テーブルに格納されている第二の会員の電子メールアドレス宛に送信するステップと、
を有してなることを特徴とする好相性会員紹介方法。
【請求項２】
サーバは、会員の端末と通信ネットワークを介して接続し、アンケートの質問とこの質問に対する回答の選択肢とが関係付けて格納されているアンケートテーブルと、質問ごとの回答の組合せと性格カテゴリとが関係付けて格納されている性格カテゴリ確認テーブルとをさらに備え、
上記サーバが、上記アンケートテーブルに格納されている質問と回答の選択肢とを読み出して、会員の端末に表示させるステップと、
上記サーバが、上記表示させた質問に対する回答を、上記会員の端末から受信するステップと、
上記サーバが、上記性格カテゴリ確認テーブルを参照して、上記会員の端末から受信した質問に対する回答に関係付けられた性格カテゴリを、この会員の性格カテゴリとして上記会員テーブルに蓄積するステップと、
を有する請求項１記載の好相性会員紹介方法。
【請求項３】
サーバは、提供したアドバイス情報についての効果を含む情報を会員の端末から収集する手段と、会員の端末から収集した情報をもとに、アドバイステーブルに格納されているアドバイス情報を更新する手段と、をさらに備えた請求項２記載の好相性会員紹介方法。
【請求項４】
「提供したアドバイス情報についての効果」に代えて「紹介相手についての感想」とした請求項３記載の好相性会員紹介方法。
【請求項５】
アドバイステーブルに格納されているアドバイス情報には、少なくとも、特定会員が相手会員と交際した場合に出てくる特定会員の性格が含まれる請求項１記載の好相性会員紹介方法。
【請求項６】
会員に対して、この会員の性格カテゴリと相性度のよい性格カテゴリの会員から順に紹介するために用いるサーバであって、
第一の会員の端末と第二の会員の端末のそれぞれと通信ネットワークを介して接続し、
会員ごとの、電子メールアドレスを含む個人情報と、紹介相手の個人情報に関する希望条件と、性格カテゴリとを格納してある会員テーブルと、
性格カテゴリごとに他の性格カテゴリとの相性度を順位づけて格納してある相性度テーブルと、
紹介する会員（以下、「特定会員」という）とこの特定会員に紹介される会員（以下、「相手会員」という）との性格カテゴリの組合せに応じた特定会員に提供される相手会員との交際を支援するための情報であって、相手会員の性格カテゴリごとに異なるアドバイス情報を記憶しているアドバイステーブルと、
を備え、
上記相性度テーブルを参照して、上記会員テーブルに格納されている第一の会員の性格カテゴリと第二の会員の性格カテゴリの相性度を確認する手段と、
上記会員テーブルに格納されている第二の会員の個人情報が第一の会員の希望条件を満たすと共に第一の会員の個人情報が第二の会員の希望条件を満たす場合に、上記アドバイステーブルを参照して上記会員テーブルに格納されている第一の会員の性格カテゴリと第二の会員の性格カテゴリをもとに第一の会員への第一のアドバイス情報を抽出すると共にこの第一のアドバイス情報とは異なる第二の会員への第二のアドバイス情報を抽出し、上記抽出した第一のアドバイス情報を記載した電子メールを作成して上記会員テーブルに格納されている第一の会員の電子メールアドレス宛に送信すると共に上記抽出した第二のアドバイス情報を記載した電子メールを作成して上記会員テーブルに格納されている第二の会員の電子メールアドレス宛に送信する手段と、
を有してなることを特徴とする好相性会員紹介サーバ。
【発明の詳細な説明】
【技術分野】
【０００１】
本発明は、結婚又は交際を希望する会員に対して異性会員を紹介するなど、会員に対して好適な相手会員を紹介する方法と装置に関するものである。
【背景技術】
【０００２】
結婚又は交際を希望する会員に対して異性を紹介する、いわゆる会員紹介サービスは、これまでにも存在する。
従来の会員紹介サービスは、あらかじめ会員を募集する際に、本人から個人情報（氏名、年齢、住所、家族構成、職業、年収など）や、紹介相手に対する希望条件を収集しておき、その上で当該会員に対して、異性会員の中から希望条件に基づき好適な相手会員を選択して、当該会員に紹介する。ここで、希望条件の例としては、年齢、住所、家族構成、職業、年収などがある。
【０００３】
また、従来の会員紹介サービスの中には、一方の会員の希望条件のみに基づき相手会員を紹介する、いわゆる片方向マッチングの他に、紹介する会員同士の互いの希望条件に基づき相手会員を紹介する、いわゆる双方向マッチングを実施して、より相応しい会員同士を紹介するサービスもある。
【発明の開示】
【発明が解決しようとする課題】
【０００４】
しかしながら、たとえ互いの希望条件を満足する会員同士を紹介したとしても、互いの相性の良さについては、会員自身が指定する希望条件だけでは判断することができない。
したがって、互いの希望条件を満足する会員同士であっても、相性が合わない会員同士を紹介した場合には、会員からの満足を得ることができず、さらに別の会員を紹介しなければならなくなり、その結果、会員が満足する、すなわち互いに相性の良い会員同士を紹介することができるまでに何人もの会員を紹介しなければならない。
【０００５】
さらに、たとえ互いの希望条件を満足した会員同士であったとしても、実際に相手と交際するまでは、相手のことはプロフィール程度のことしか知らされないため、自分が相手からどのように見られているのか、あるいはどのようなことに気遣えばよいか、などについては交際をしてみないと分からず、紹介を受けた会員は、交際をはじめるまでは、相手との交際が上手くいくのか、について不安を覚える。
【０００６】
本発明は以上のような従来の実情に鑑みてなされたもので、互いの希望条件を満足する会員同士であって、かつ好相性の会員同士を紹介するようにして、希望条件のみで紹介する場合と比べて、より相応しい相手を紹介できる好相性会員紹介方法と装置を提供することを目的とする。
また、会員同士を紹介する際に、互いのプロフィールに加えて、互いの交際を支援するアドバイスを提供することで、会員同士を紹介するのみではなく、互いの交際を支援することができる好相性会員紹介方法と装置を提供することを目的とする。
【課題を解決するための手段】
【０００７】
本発明は、第一の会員の端末と第二の会員の端末のそれぞれと通信ネットワークを介して接続し、会員ごとの、電子メールアドレスを含む個人情報と、紹介相手の個人情報に関する希望条件と、性格カテゴリとを格納してある会員テーブルと、性格カテゴリごとに他の性格カテゴリとの相性度を順位づけて格納してある相性度テーブルと、特定会員と相手会員との性格カテゴリの組合せに応じた特定会員に提供される相手会員との交際を支援するための情報であって、相手会員の性格カテゴリごとに異なるアドバイス情報を記憶しているアドバイステーブルと、を備えたサーバにより実行され、サーバが、相性度テーブルを参照して、会員テーブルに格納されている第一の会員の性格カテゴリと第二の会員の性格カテゴリの相性度を確認するステップと、会員テーブルに格納されている第二の会員の個人情報が第一の会員の希望条件を満たすと共に第一の会員の個人情報が第二の会員の希望条件を満たす場合に、サーバが、アドバイステーブルを参照して会員テーブルに格納されている第一の会員の性格カテゴリと第二の会員の性格カテゴリをもとに第一の会員への第一のアドバイス情報を抽出すると共に第一のアドバイス情報とは異なる第二の会員への第二のアドバイス情報を抽出し、抽出した第一のアドバイス情報を記載した電子メールを作成して会員テーブルに格納されている第一の会員の電子メールアドレス宛に送信すると共に抽出した第二のアドバイス情報を記載した電子メールを作成して会員テーブルに格納されている第二の会員の電子メールアドレス宛に送信するステップと、を有してなることを特徴とする
【０００８】
また本発明は、サーバは、会員の端末と通信ネットワークを介して接続し、アンケートの質問と質問に対する回答の選択肢とが関係付けて格納されているアンケートテーブルと、質問ごとの回答の組合せと性格カテゴリとが関係付けて格納されている性格カテゴリ確認テーブルとをさらに備え、サーバが、アンケートテーブルに格納されている質問と回答の選択肢とを読み出して、会員の端末に表示させるステップと、サーバが、表示させた質問に対する回答を、会員の端末から受信するステップと、サーバが、性格カテゴリ確認テーブルを参照して、会員の端末から受信した質問に対する回答に関係付けられた性格カテゴリを、会員の性格カテゴリとして会員テーブルに蓄積するステップと、を有することを特徴とする。
【０００９】
さらに本発明は、サーバは、提供したアドバイス情報についての効果を含む情報を会員の端末から収集する手段と、会員の端末から収集した情報をもとに、アドバイステーブルに格納されているアドバイス情報を更新する手段と、をさらに備えていることを特徴とする。
【００１０】
さらにまた本発明は、アドバイステーブルに格納されているアドバイス情報には、少なくとも、特定会員が相手会員と交際した場合に出てくる特定会員の性格が含まれることを特徴とする。
【００１１】
さらにまた本発明は、アドバイステーブルに格納されているアドバイス情報には、少なくとも、特定会員が相手会員と交際した場合に出てくる特定会員の性格が含まれることを特徴とする。
【発明の効果】
【００１２】
本発明によれば、好相性の性格カテゴリに該当し、かつ、互いの希望条件を満足する会員同士を紹介することで、互いの希望条件のみで会員同士を紹介する場合に比べて、より相応しい相手を紹介することができる。
【００１３】
また本発明によれば、会員同士を紹介する際に、互いの交際を支援するアドバイス情報を会員同士に提供することで、相手との交際についての会員の不安を軽減するなど、互いの交際を支援することができる。
【００１４】
さらに本発明によれば、会員に対して提供するアドバイス情報を紹介する相手会員の性格カテゴリに応じて変えることができるため、互いの交際を支援する効果をさらに高めることができる。
【発明を実施するための最良の形態】
【００１５】
以下、図面を参照しながら本発明にかかる好相性会員紹介方法と装置の実施の形態について説明する。
【００１６】
なお、以下に説明する実施の形態では、交際を希望する男性の会員Ｍ１に対して女性の会員Ｗ２を紹介する場合を例として説明する。
ただし、本発明にかかる好相性会員紹介方法により、会員Ｍ１に対して会員Ｗ２が紹介される場合は、２通りある。
すなわち、会員Ｍ１が希望する相手の条件に基づいて会員Ｗ２が選ばれて互いに紹介される場合と、会員Ｗ２が希望する相手の条件に基づいて会員Ｍ１が選ばれて互いに紹介される場合、の２通りである。ここで、前者の場合、会員Ｍ１を特定会員、会員Ｗ２を相手会員といい、また後者の場合、会員Ｍ１を相手会員、会員Ｗ２を特定会員という。
つまり、本発明にかかる好相性会員紹介方法は、会員の中から好相性の会員同士を互いに紹介するのであるが、その際、まず特定会員を選択しておき、この特定会員の希望条件を満たし、かつ好相性の会員を相手会員として選択して、特定会員と相手会員とを互いに紹介するのである。
以下の実施の形態では、特定会員である会員Ｍ１に対して相手会員となる会員Ｗ２を紹介する場合を例として説明する。
【００１７】
図１は、本発明にかかる好相性会員紹介装置（以下、「サーバ」という）の実施の形態を示すネットワーク構成図である。
符号１は、サーバを示す。また符号２，３はそれぞれ、会員Ｍ１とＷ２が通信ネットワーク４を介してサーバ１との接続に利用する端末である。サーバ１、端末２，３は、それぞれ通信回線４１，４２，４３を介して通信ネットワーク４と接続する。
【００１８】
ここで、通信ネットワーク４の例としては、インターネットやＬＡＮ（Ｌｏｃａｌ  Ａｒｅａ  Ｎｅｔｗｏｒｋ）などのコンピュータ通信網があり、通信回線４１，４２，４３の例としては、専用線、公衆交換電話網（ＰＳＴＮ）、無線電話網、ＣＡＴＶ網、衛星通信網等がある。
また、サーバ１の例としてはパーソナルコンピュータなどがある。
さらに、端末２，３の例としては、パーソナルコンピュータをはじめ、データ通信機能を有するＰＤＡ（Ｐｅｒｓｏｎａｌ  Ｄｉｇｉｔａｌ  Ａｓｓｉｓｔａｎｔ）や携帯電話機など、通信ネットワーク４を介してサーバ１と接続することができる情報処理端末がある。
【００１９】
サーバ１と端末２，３との間の通信は、公知のＷＥＢ技術を用いる。すなわち、端末２，３がサーバ１内のＷｅｂページを閲覧し、あるいは、端末２，３とサーバ１との間で電子メールの交換をするが、具体的には後述する。
【００２０】
サーバ１はその内部に、個人情報受付部１１、希望条件受付部１２、アンケート回答受付部１３、性格カテゴリ確認部１４、相手会員決定部１５、紹介情報出力部１６、会員テーブルＴ１、アンケートテーブルＴ２、性格カテゴリ算出テーブルＴ３、相性度テーブルＴ４、アドバイステーブルＴ５１，Ｔ５２，Ｔ５３、とを有してなる。
【００２１】
個人情報受付部１１は、会員（の端末）から、会員の個人情報を受付けるための手段である。ここで個人情報の例としては、氏名、年齢、住所、家族構成、職業などがある。
【００２２】
希望条件受付部１２は、会員（の端末）から、希望条件を受付けるための手段である。希望条件とは、会員が、紹介相手に望む条件であり、たとえば、住所や年収、あるいは家族構成などがある。
【００２３】
アンケート回答受付部１３は、会員（の端末）から、アンケートの回答を受付けるための手段である。
ここでアンケートとは、性格カテゴリを算出するために会員に対して実施するものである。なお、性格カテゴリについては、後述する。
【００２４】
性格カテゴリ確認部１４は、前述のアンケートの回答に基づき、回答者の性格カテゴリを算出するための手段である。
【００２５】
相手会員決定部１５は、相手会員を決定するための手段である。
【００２６】
紹介情報出力部１６は、会員（の端末）に対して、紹介相手、つまり特定会員に対しては相手会員の、相手会員に対しては特定会員の情報を提供するための手段である。
【００２７】
会員テーブルＴ１は、サーバ１が管理するすべての会員の情報が格納されたテーブルであり、少なくとも、会員ごとの、個人情報、希望条件、性格カテゴリが格納してある。
図２は、会員テーブルＴ１に格納されている情報の一部の例を示す図であり、男性会員Ｍ１，Ｍ２と女性会員Ｗ１，Ｗ２，Ｗ３，Ｗ４，Ｗ５の合計７人についての、性格カテゴリ、個人情報（住所）、希望条件が示してある。
【００２８】
アンケートテーブルＴ２は、性格カテゴリの算出に用いるアンケートの質問と回答の選択肢が格納してあるテーブルである（つまり、アンケートは多枝選択式である）。
図３は、アンケートテーブルＴ２に格納されている情報の例を示す図であり、質問Ｑ１，Ｑ２と、各質問に対する回答選択肢Ａ１１，Ａ１２、Ａ２１，Ａ２２が格納してあることを示している。ここで、質問と回答選択肢の例としては、Ｑ１が「あなたは流行に敏感ですか？」であり、Ａ１１が「はい」、Ａ１２が「いいえ」などである。
【００２９】
性格カテゴリ確認テーブルＴ３は、性格カテゴリの確認に用いるテーブルであり、前述のアンケートに対する回答と、性格カテゴリとの関係が格納してある。
図４は、性格カテゴリ確認テーブルＴ３に格納された情報の例を示す図であり、質問Ｑ１とＱ２に対する回答の組合せと、３つの性格カテゴリＸ，Ｙ，Ｚとの関係が格納してある。ここで、質問Ｑ１とＱ２の回答が共に「はい」の場合、すなわち、Ａ１１とＡ２１の場合は、性格カテゴリがＸと確認することができることを示している。
【００３０】
なお性格カテゴリとは、たとえば、心理学的、文化人類学的、社会学的、医学的などの性格分析の手法による人間の性格についての分類である。
本実施の形態では、性格カテゴリは、Ｘ，Ｙ，Ｚの３種類である。
【００３１】
相性度テーブルＴ４は、異性間の性格カテゴリの相性を判断するために用いるテーブルであり、性格カテゴリごとに異性の性格カテゴリとの相性度を順位づけて格納してある。
図５は、相性度テーブルＴ４に格納された情報の例を示す図である。ここでは、たとえば、男性の性格カテゴリＸに対して、女性の性格カテゴリＸが最も相性が良く、逆に性格カテゴリＺが最も相性が悪いことを示している（図中の数字は、相性度を表しており、小さいほど相性度がよいことを示している）。
【００３２】
アドバイステーブルＴ５１、Ｔ５２，Ｔ５３は、特定会員と相手会員に提供されるアドバイス情報を格納したテーブルである。
図６は、アドバイステーブルＴ５１，Ｔ５２，Ｔ５３の例を示す図であり、それぞれ、（ａ）特定会員が相手会員と交際した場合に出てくる特定会員の性格、（ｂ）特定会員が相手会員に対して好意を抱くところ、（ｃ）特定会員が相手会員と交際する際に気遣うとよいところ、についてのアドバイス情報が格納してある。
【００３３】
なお、アドバイス情報は、特定会員と相手会員の性格カテゴリの組合せに応じて決まる。すなわち、たとえば図６（ａ）によれば、性格カテゴリがＸの特定会員が相手会員と交際した場合に出てくる特定会員の性格は、相手会員の性格カテゴリがＸ、Ｙ、Ｚの場合、それぞれ「温厚」「真面目」「独善的」であることを示している（特定会員へのアドバイス情報が、相手会員の性格カテゴリに応じて異なる）。
【００３４】
図７は、本発明にかかる好相性会員紹介方法の実施の形態を示すフローチャートである。すなわち、本発明にかかる好相性会員紹介方法を実現するためにサーバ１は、入会処理（Ｓ１）と好相性会員紹介処理（Ｓ２）とを実施する。
【００３５】
サーバ１は、入会処理を実施した後に好相性会員紹介処理を所定の条件のもとで繰り返し実施する（Ｓ３）。
ここで所定の条件の例としては、たとえば、入会後、会員自身からの停止の要求があるまで、毎月１回、あるいは毎日１回、あるいは、会員からの要求を受付けた際、などがある。
なお、好相性会員紹介処理の繰り返しに関する条件は、あらかじめサーバ１内に登録されているが、会員自身が、サーバ１に指定するようにしてもよい。
【００３６】
先ず、入会処理（Ｓ１）について、詳細に説明する。入会処理とは、会員の個人情報、希望条件を受付け、さらにアンケートの回答を受付けて会員の性格カテゴリを確認するための処理である。
なお、ここでは会員Ｗ２は、すでに入会処理を済ませているものとする。
また、前述の好相性会員照会処理の繰り返しに関する条件を、入会処理の中で会員から受付けるようにしてもよい。
【００３７】
図８は、入会処理の例を示すフローチャートである。
サーバ１は、個人情報受付部１１を用いて、端末２から個人情報を受付け（Ｓ１１）、また希望条件受付部１２を用いて、希望条件を受付ける（Ｓ１３）。サーバ１は、受付けた個人情報と希望条件を会員テーブルＴ１に蓄積する（Ｓ１２，Ｓ１４）。
さらにサーバ１は、アンケート回答受付部１３を用いて、端末２からアンケートの回答を受付ける（Ｓ１５）。
【００３８】
なお、入会処理のＳ１１，Ｓ１３，Ｓ１５の各ステップは、必ずしも図８の順である必要はない。
【００３９】
図９の（ａ）（ｂ）（ｃ）は、サーバ１に個人情報、希望条件、アンケートの回答を入力する画面Ｐ１、Ｐ２、Ｐ３の例を示す図である。なお、画面Ｐ１、Ｐ２、Ｐ３は、たとえば、いわゆるＷｅｂページであり、端末２からサーバ１内の図示しない記憶手段に格納されているものを閲覧して、端末２の画面上に表示させている。なお、図９（ｃ）に示す画面内のアンケートの質問の項目は、アンケートテーブルＴ２に格納されたものである。
【００４０】
入会処理（Ｓ１）の後、サーバ１は、好相性会員紹介処理を行う（Ｓ２）。好相性会員紹介処理とは、特定会員に紹介する相手会員を決定し、互いを紹介するための処理である。
【００４１】
ここで図１０は、全会員の中から特定会員（会員Ｍ１）に紹介する相手会員（Ｗ２）を決定する過程を示す図である。
すなわち、まず全会員の中から特定会員と異性の会員（以下、「異性会員」という）を抽出する。
次に、異性会員の中から特定会員の性格カテゴリと好相性の性格カテゴリに該当する会員（以下、「好相性カテゴリ会員」という）を抽出する。
さらに、好相性カテゴリ会員の中から、特定会員の希望条件を満たす会員（以下、「相手会員候補」という）を決定する。
さらに、相手会員候補の希望条件に基づき、相手会員候補の中から相手会員を決定する。
【００４２】
図１１は、好相性会員紹介処理の例を示すフローチャートである。
【００４３】
先ず、異性会員を抽出する（Ｓ２１）。すなわちサーバ１は、会員テーブルＴ１を参照し、会員Ｍ１が男性会員であることを確認し、女性会員を抽出する。
【００４４】
次に、好相性カテゴリ会員を抽出する（Ｓ２２）。すなわちサーバ１は、会員テーブルＴ１を参照して会員Ｍ１の性格カテゴリがＸであることを確認し、次に相性度テーブルＴ４を参照して性格カテゴリＸの男性と好相性の女性の性格カテゴリがＸであることを確認し、さらに先に抽出した女性会員の中から性格カテゴリがＸに該当する会員Ｗ１，Ｗ２，Ｗ３を抽出する。
【００４５】
次に、相手会員候補を抽出する（Ｓ２３）。すなわちサーバ１は、会員テーブルＴ１を参照して、会員Ｍ１の希望条件が「都内在住」であることを確認し、先に抽出した好相性カテゴリ会員Ｗ１，Ｗ２，Ｗ３の中から、住所が東京都である会員Ｗ２，Ｗ３を抽出する。
【００４６】
次に、相手会員を決定する（Ｓ２４）。すなわちサーバ１は、会員テーブルＴ１を参照して、会員Ｗ２，Ｗ３の希望条件が、それぞれ「都内在住」と「地方在住」であることを確認し、会員Ｍ１の住所が東京都であることを確認した上で、会員Ｍ１の相手会員を会員Ｗ２と決定する。
【００４７】
次に、紹介情報を通知する（Ｓ２４）。すなわちサーバ１は、紹介情報通知部１６を用いて、紹介相手に関する情報を記述した電子メールＥ１，Ｅ２を作成し、それぞれ端末２，３に送信する。
なお、電子メールＥ１，Ｅ２の宛先のメールアドレスは、会員Ｍ１とＷ２からそれぞれの入会処理の際に個人情報の一部として受付けておく。
【００４８】
図１２は、（ａ）会員Ｍ１に送信される電子メールＥ１の本文の例と、（ｂ）会員Ｗ２に送信される電子メールＥ２の本文の例を示す図である。
電子メールＥ１には、少なくとも、会員Ｗ２のプロフィール情報Ｅ１１と、会員Ｍ１へのアドバイス情報Ｅ１２とが記述してある。
プロフィール情報Ｅ１１には、会員Ｗ２の氏名、年齢、住所、家族構成、職業など、個人情報のすべて、または一部を、会員Ｗ２から受付けたまま、あるいは、一部を加工（たとえば、住所を都道府県までしか記述せず、詳細は公開しないようにするなど）して記述してある。
また、アドバイス情報Ｅ１２には、会員Ｗ２と交際する際に出てくる会員Ｍ１の性格は、「温厚」である、など会員Ｍ１に対して会員Ｗ２との交際を支援するためのアドバイス情報が記述してある。
電子メールＥ２も、同様である。
【００４９】
会員Ｍ１は、端末２を用いて電子メールＥ１を受信し、会員Ｗ２のプロフィールと会員Ｗ２との交際を支援するアドバイス情報を確認することができる。同様に会員Ｗ２は、端末３を用いて電子メールＥ２を受信し、会員Ｍ１のプロフィールと会員Ｍ１との交際を支援するアドバイス情報を確認することができる。
【００５０】
以上説明した実施の形態によれば、好相性の性格カテゴリに該当し、かつ、互いの希望条件を満足する会員同士を紹介することで、互いの希望条件のみで会員同士を紹介する場合に比べて、より相応しい相手を紹介することができる。
【００５１】
また、会員同士を紹介する際に、互いの交際を支援するアドバイス情報を会員同士に提供することで、相手との交際についての会員の不安を軽減するなど、互いの交際を支援することができる。
【００５２】
さらに、会員同士に提供するアドバイス情報は、互いの性格カテゴリの組合せに応じて決まるようにしたことで、紹介相手の性格カテゴリに応じてアドバイス情報を変えることができるため、きめ細かいアドバイスを提供することができ、互いの交際を支援する効果をさらに高めることができる。
【００５３】
なお、以上説明した実施の形態は、サーバ１を通信ネットワーク４に接続した場合を例とするものであったが、本発明にかかる好相性会員紹介装置は、必ずしも通信ネットワークに接続する必要はない。
すなわち、たとえば、会員が交際相手の紹介サービス提供者のところへ出向き、その場に設置されたサーバに個人情報などを直接入力し、サーバは、決定した相手会員についてのプロフィール情報やアドバイス情報を、サーバのディスプレイ装置やプリンタ装置などに出力するようにしてもよい。
【００５４】
また、以上説明した実施の形態において、アドバイステーブルに格納したアドバイス情報を更新するようにしてもよい。すなわち、たとえば、交際相手を紹介した会員から、提供したアドバイス情報についての効果や、紹介相手についての感想などを収集するようにして、必要に応じてサーバ１内のアドバイス情報を更新することで、さらに会員同士の交際を支援する効果を高めることができる。
【００５５】
さらに、以上説明した実施の形態では、特定会員の性格カテゴリと最も好相性の性格カテゴリの会員の中から、相手会員を決定するようにしたが、希望条件を確認した結果、最も好相性の性格カテゴリの会員の中から相手会員を決定することができない場合には、次に相性の良い性格カテゴリの会員の中から相手会員を決定するようにしてもよい。
【００５６】
さらにまた、以上説明した実施の形態は、交際を希望する異性会員同士を紹介する場合を例として説明したが、本発明にかかる好相性会員紹介方法と装置の適用範囲は、これに限定するものではなく、社内人事、人材派遣、人材バンク、求人・求職などにおいても適用することができる。
すなわち、たとえば社内人事の場合、プロジェクトチームのメンバーを決定するに際して、プロジェクトリーダと好相性の社員を決定するために、本発明にかかる好相性会員紹介方法などを利用することができる。
【図面の簡単な説明】
【００５７】
【図１】本発明にかかる好相性会員紹介装置の実施の形態を示すネットワーク構成図である。
【図２】上記装置が有する会員テーブルの例を示す図である。
【図３】上記装置が有するアンケートテーブルの例を示す図である。
【図４】上記装置が有する性格カテゴリ確認テーブルの例を示す図である。
【図５】上記装置が有する相性度テーブルの例を示す図である。
【図６】上記装置が有する（ａ）出てくる性格、（ｂ）好意を抱くところ、（ｃ）気遣うとよいところ、についてのアドバイス情報を格納したアドバイステーブルの例を示す図である。
【図７】本発明にかかる好相性会員紹介方法の実施の形態を示すフローチャートである。
【図８】上記方法内の入会処理の例を示すフローチャートである。
【図９】上記装置に（ａ）個人情報、（ｂ）希望条件、（ｃ）アンケートの回答、を入力する画面の例を示す図である。
【図１０】全会員の中から紹介相手となる会員を決定する過程を示す図である。
【図１１】上記方法内の好相性会員紹介処理の例を示すフローチャートである。
【図１２】紹介情報を記述した電子メールの本文の例を示す図である。
【符号の説明】
【００５８】
１      好相性会員紹介装置
２，３  会員の端末
４      通信ネットワーク
【図１】
2005092897.tif 000003
【図２】
2005092897.tif 000004
【図３】
2005092897.tif 000005
【図４】
2005092897.tif 000006
【図５】
2005092897.tif 000007
【図６】
2005092897.tif 000008
【図７】
2005092897.tif 000009
【図８】
2005092897.tif 000010
【図９】
2005092897.tif 000011
【図１０】
2005092897.tif 000012
【図１１】
2005092897.tif 000013
【図１２】
2005092897.tif 000014